(57)【要約】【課題】  誘導通路によって誘導されてくる遊技球の動きに変化をもたせて、誘導通路によって誘導されてくる遊技球の動きをみる楽しみを遊技者に与えることが出来る、新規な構造のパチンコ機を提供することを、目的とする。【解決手段】  遊技領域３４に設けられた役物４６に入球した遊技球を振分手段７４まで誘導する誘導通路１０２，１０４における遊技球の流下方向下流側の領域において、誘導通路１０２，１０４によって誘導されてきた遊技球が接触せしめられる突起１１２を設けた。【選択図】      図５
2006230883.tif 000002
【特許請求の範囲】
【請求項１】
遊技領域に設けられて、遊技球が入球可能な役物と、
該役物に入球した遊技球を少なくとも二つ形成された入球口の何れかに振り分ける振分手段と、
該振分手段の外側で周方向に設けられて、該役物に入球した遊技球を該振分手段まで誘導する誘導通路と、
該誘導通路における遊技球の流下方向下流側の領域に設けられて、該誘導通路によって誘導されてきた遊技球が接触せしめられる突起と
を、備えていることを特徴とするパチンコ機。
【請求項２】
前記誘導通路における遊技球の流下方向下流側の領域において少なくとも外周側の側壁面から突出するようにして前記突起が複数設けられている請求項１に記載のパチンコ機。
【発明の詳細な説明】
【技術分野】
【０００１】
本発明は、遊技領域に設けられた役物に入球した遊技球を誘導通路によって誘導すると共に、誘導通路によって誘導されてきた遊技球を振分手段によって少なくとも二つ設けられた入球口の何れかに振り分けるようにしたパチンコ機に関するものである。
【背景技術】
【０００２】
従来、この種のパチンコ機として、例えば、特許文献１（特開２００３−２４５５８号公報）に記載されたものが提案されている。そして、この種のパチンコ機は、振分手段による遊技球の振り分けが、誘導通路によって誘導されてきた際のタイミングによって影響を受けるようになっている。従って、遊技者は、パチンコ機で遊技をしている際、誘導通路によって誘導されてくる遊技球に注目し、その動きに一喜一憂することとなる。
【０００３】
しかしながら、特許文献１に記載のパチンコ機もそうであったように、従来のパチンコ機では、誘導通路を振分手段の周囲に設けることにより誘導通路の通路長さを確保することで遊技球の転動時間を長くし、それによって、遊技者に少しでも長い時間遊技球の動きをみせて遊技者を楽しませる程度の工夫しか施されておらず、遊技者を楽しませるという点において、未だ十分でない。
【０００４】
なお、誘導通路を転動せしめられる遊技球に接触可能な部材を設けて、かかる部材に遊技球を接触せしめることにより、遊技球の転動速度を遅くすることも考えられるが、ただ単に、このような部材を設けた場合、誘導通路において遊技球が停留してしまい、球詰まりが起こるおそれがある。
【０００５】
【特許文献１】特開２００３−２４５５８号公報
【発明の開示】
【発明が解決しようとする課題】
【０００６】
ここにおいて、本発明は、上述の如き事情を背景として為されたものであって、その解決課題とするところは、誘導通路によって誘導されてくる遊技球の動きに変化をもたせて、誘導通路によって誘導されてくる遊技球の動きをみる楽しみを遊技者に与えることが出来ると共に、誘導通路における球詰まりを有利に回避することが出来る、新規な構造のパチンコ機を提供することにある。
【課題を解決するための手段】
【０００７】
以下、このような課題を解決するために為された本発明の態様を記載する。なお、以下に記載の各態様において採用される構成要素は、可能な限り任意の組み合わせで採用可能である。また、本発明の態様乃至は技術的特徴は、以下に記載のものに限定されることなく、明細書全体に記載されたもの、或いはそれらの記載から当業者が把握することが出来る発明思想に基づいて認識されるものであることが理解されるべきである。
【０００８】
パチンコ機に関する本発明の第一の態様は、（ａ）遊技領域に設けられて、遊技球が入球可能な役物と、（ｂ）該役物に入球した遊技球を少なくとも二つ形成された入球口の何れかに振り分ける振分手段と、（ｃ）該振分手段の外側で周方向に設けられて、該役物に入球した遊技球を該振分手段まで誘導する誘導通路と、（ｄ）該誘導通路における遊技球の流下方向下流側の領域に設けられて、該誘導通路によって誘導されてきた遊技球が接触せしめられる突起とを、備えていることを、特徴とする。
【０００９】
このような本態様に従う構造とされたパチンコ機においては、遊技領域に設けられた役物に入球した遊技球を振分手段まで誘導する誘導通路における遊技球の流下方向下流側の領域において、誘導通路によって誘導されてきた遊技球が接触せしめられる突起が設けられていることから、誘導通路を転動せしめられてきた遊技球が突起に接触することにより、誘導通路における遊技球の流下方向下流側の領域において、遊技球の転動方向が変化せしめられたり、或いは遊技球の転動の勢いが弱められたりすることとなる。
【００１０】
これにより、誘導通路における遊技球の流下方向下流側の領域において遊技球の転動速度を遅くすることが可能となる。
【００１１】
従って、本態様に係るパチンコ機においては、誘導通路を転動せしめられる遊技球の動きに変化をもたせることが可能となり、それによって、誘導通路を転動せしめられる遊技球の動きを見る楽しみを遊技者に与えることが可能となる。
【００１２】
また、本態様においては、遊技球の転動速度が遅くされることによって、誘導通路における遊技球の流下方向下流側の領域を転動せしめられる遊技球の動き、即ち、振分手段によって振り分けられる直前の遊技球の動きを遊技者に見せる時間を有利に確保することが可能となる。
【００１３】
更にまた、本態様においては、誘導通路における遊技球の流下方向下流側の領域において遊技球に接触せしめられる突起が設けられていることから、誘導通路における遊技球の流下方向上流側の領域において遊技球の転動速度を有利に確保することが可能となる。これにより、役物に入球した遊技球を可及的速やかに誘導通路における遊技球の流下方向下流側の領域へ誘導しつつ、誘導通路における遊技球の流下方向下流側の領域においては遊技球の転動速度を遅くして、遊技者に遊技球の転動をじっくりと見せることが可能となる。また、誘導通路における遊技球の流下方向上流側の領域において遊技球の転動速度が有利に確保され得ることから、突起への接触により遊技球の転動速度が遅くされたとしても、遊技球の誘導通路での停留を有利に回避することが可能となり、それによって、誘導通路での球詰まりを有利に回避することが可能となる。
【００１４】
さらに、本態様においては、誘導通路が振分手段の外側で周方向に設けられていることから、誘導通路の通路長さを有利に確保することが可能となり、それによって、遊技球の転動時間を有利に確保することが可能となる。
【００１５】
パチンコ機に関する本発明の第二の態様は、前記第一の態様に係るパチンコ機において、前記誘導通路における遊技球の流下方向下流側の領域において少なくとも外周側の側壁面から突出するようにして前記突起が複数設けられていることを、特徴とする。このような本態様に従う構造とされたパチンコ機においては、突起に接触した遊技球を、突起が設けられた外周側の側壁面とは反対側の内周側の側壁面に向けて転動せしめることが可能となる。
【００１６】
それ故、本態様に係るパチンコ機においては、例えば、外周側の側壁面に適当な間隔をあけて突起を設けることにより、或いは、内周側および外周側の両側壁面に適当な間隔をあけて突起を設けることにより、誘導通路の両側壁面に交互に衝突しながら誘導通路を蛇行するようにして遊技球を転動せしめることが可能となる。これにより、誘導通路における遊技球の流下方向に沿って遊技球が転動する場合に比して、遊技球の転動時間を有利に確保することが可能となって、遊技球の転動を一層じっくりと遊技者に見せることが可能となる。
【発明の効果】
【００１７】
上述の説明から明らかなように、本発明に従う構造とされたパチンコ機においては、役物に入球した遊技球を誘導する誘導通路において、遊技球の流下方向下流側の領域で遊技球の転動速度を遅くすることが可能となり、それによって、遊技球の動きを誘導通路における遊技球の流下方向下流側の領域で遊技者にじっくりとみせて、遊技者を楽しませることが可能となる。
【発明を実施するための最良の形態】
【００１８】
以下、本発明を更に具体的に明らかにするために、本発明の実施形態について、図面を参照しつつ、詳細に説明する。
【００１９】
図１には、本発明の一実施形態としてのパチンコ機１０が示されている。このパチンコ機１０は、縦長の方形状に枠組みされた外枠１２を備えており、かかる外枠１２には、その一側において開閉自在に軸支された状態で、中枠１４が組み付けられている。
【００２０】
また、中枠１４の表側には、中枠１４に対して取り付けられた遊技盤１６（図２参照）を透視保護するためのガラス板を備えたガラス枠１８と、上皿２０を備えた皿板２２が、それぞれ、中枠１４の一側に開閉自在に軸支された状態で組み付けられている。
【００２１】
更にまた、上皿２０の下方には、下皿２４が設けられており、かかる下皿２４の右方には、操作ハンドル２６が突設されている。
【００２２】
そして、遊技者が操作ハンドル２６に対して回動可能に装着された操作レバー２８を回動操作することにより、上皿２０に貯留された遊技球が球送り機構（図示せず）を介して、図示しない発射装置に送られた後、遊技盤１６に形成された遊技領域３４（図２参照）に向けて発射されるようになっている。
【００２３】
続いて、遊技盤１６の構造について、図２に基づいて説明する。遊技盤１６は、表面に合成樹脂製のシートが被着された遊技板３０を備えている。また、遊技板３０の表面側にはレールセット３２が固定されている。これにより、遊技盤１６には、レールセット３２によって囲まれた略円形の遊技領域３４が形成されている。
【００２４】
この遊技領域３４には、遊技釘３６や装飾ランプ３８，風車４０，各種入賞装置４２，４４，役物４６等が、適当な位置に設けられている。そこにおいて、本実施形態では、遊技領域３４において、その略中央に役物４６が設けられていると共に、かかる役物４６が設けられた位置よりも下側の領域において、複数（本実施形態では、六つ）の可変入賞装置４４ａ〜ｆが設けられている。
【００２５】
なお、図面上では必ずしも明らかではないが、本実施形態では、これら六つの可変入賞装置４４ａ〜ｆとして、遊技球が常時入球可能な上側開口と、一対の可動翼片が起立せしめられた状態で遊技球の入球が不能となる一方、一対の可動翼片が傾動せしめられた状態で遊技球の入球が可能となる一対の下側開口とを備えた構造のものが採用されている。そして、本実施形態では、各可変入賞装置４４に設けられた一対の可動翼片は、上側開口に遊技球が入球した場合等において傾動せしめられるようになっており、また、一度傾動せしめられた一対の可動翼片は、下側開口に遊技球が入球するまでその状態が維持されるようになっている。
【００２６】
遊技領域３４の略中央に設けられた役物４６は、図３乃至５にも示されているように、前方（遊技者側）に開口する凹室４８を備えた箱状の役物本体５０を含んで構成されている。そこにおいて、本実施形態では、凹室４８内に仕切板５２が設けられており、それによって、凹室４８が上下に分割されている。即ち、本実施形態では、役物本体５０には、上側凹室５４と下側凹室５６が設けられていることとなる。
【００２７】
また、役物本体５０の開口端には、取付板５８が設けられている。そして、かかる取付板５８によって、役物４６が遊技盤１６（遊技板３０）に取り付けられるようになっている。
【００２８】
更にまた、取付板５８から突出するようにして、装飾体６０が設けられている。この装飾体６０には、上方に向かって開口する入賞口６２が形成されている。これにより、遊技領域３４を流下せしめられる遊技球が入賞口６２から役物４６に入球可能とされている。
【００２９】
そして、この入賞口６２に入球した遊技球は、第一の案内通路６４を通って、上側凹室５４に案内されるようになっている。なお、入賞口６２内には、近接スイッチ等によって構成された検出スイッチ６６が配されており、遊技球の入賞口６２への入球が検出スイッチ６６によって検出されるようになっている。
【００３０】
また、第一の案内通路６４を通って上側凹室５４に案内されてきた遊技球は、上側凹室５４の床板を構成する仕切板５２上を転動せしめられた後、かかる仕切板５２に開口する連通穴６８から第二の案内通路７０を通って、下側凹室５６に案内されるようになっている。
【００３１】
そこにおいて、本実施形態では、第二の案内通路７０が下側凹室５６の奥行方向に延びるように形成されている。これにより、第二の案内通路７０を通ってきた遊技球は、下側凹室５６の奥側（図４中の右側）に案内されるようになっている。
【００３２】
この下側凹室５６は、その床面が奥側から手前側（図４中の右側から左側）に向かって下る傾斜面とされている。そして、下側凹室５６の床には、傾斜面に直交する方向に略一定の円形断面で開口する中央凹所７２が形成されている。
【００３３】
この中央凹所７２には、図６にも示されているように、厚肉の円板形状を呈する回転体７４が収容位置せしめられている。この回転体７４には、複数（本実施形態では、六つ）の収容凹部７５，７５，７６，７６，７７，７７が形成されており、これら六つの収容凹部７５，７５，７６，７６，７７，７７のそれぞれに遊技球が収容可能とされている。
【００３４】
そこにおいて、本実施形態では、これら六つの収容凹部７５，７５，７６，７６，７７，７７が周方向で等間隔に形成されている。これにより、本実施形態では、径方向で対向する位置にそれぞれ形成された一対の収容凹部７５，７５，７６，７６，７７，７７が三組設けられていることとなる。
【００３５】
また、本実施形態では、各組毎に収容凹部７５，７６，７７の形状が異ならされている。具体的には、一組目の各収容凹部７５は、回転体７４の外周縁部を略一定の断面（本実施形態では、Ｕ字状断面）で厚さ方向に貫通するように形成されている。即ち、一組目の各収容凹部７５は、回転体７４の外周縁部を略一定のＵ字状断面で切り欠く切欠形状とされているのである。
【００３６】
また、一組目の各収容凹部７５に対して周方向で隣りに位置せしめられた二組目の各収容凹部７６と、二組目の各収容凹部７６に対して周方向で隣りに位置せしめられた三組目の各収容凹部７７は、何れも、回転体７４の外周縁部を略一定の断面（本実施形態では、Ｕ字状断面）で厚さ方向の上方から下方に向かって所定の長さに亘って延びるように形成されている。これにより、二組目の各収容凹部７６と三組目の各収容凹部７７は、何れも、回転体７４の上面と外周面に開口するようになっている。
【００３７】
そこにおいて、本実施形態では、二組目の各収容凹部７６の奥行寸法（回転体７４の径方向の寸法）が一組目の各収容凹部７５の奥行寸法（回転体７４の径方向の寸法）よりも大きくされている。また、本実施形態では、三組目の各収容凹部７７の奥行寸法（回転体７４の径方向の寸法）が二組目の各収容凹部７６の奥行寸法（回転体７４の径方向の寸法）よりも大きくされている。
【００３８】
更にまた、本実施形態では、二組目の各収容凹部７６の底壁と、三組目の各収容凹部７７の底壁には、何れも、奥側の端部において貫通孔７８，８０が形成されている。
【００３９】
このような構造とされた回転体７４は、その中心軸上に設けられたボス部８２が中央凹所７２の底壁の裏側に配された駆動歯車８４に対して一体的に組み付けられた状態で、中央凹所７２に収容配置されている。
【００４０】
このようにして回転体７４のボス部８２と連結された駆動歯車８４には、連結歯車８６が噛合わされている。更にまた、駆動歯車８４に噛合わされた連結歯車８６には、出力歯車８８が噛合わされている。そして、出力歯車８８は、ステッピングモータによって構成された電気モータ９０の出力軸９２に対して一体的に組み付けられている。
【００４１】
これにより、電気モータ９０の回転駆動力が、出力歯車８８，連結歯車８６および駆動歯車８４を介して、回転体７４に伝達されるようになっている。その結果、回転体７４が周方向一方向（図６中の右回りの方向）に回転せしめられるようになっている。
【００４２】
なお、本実施形態において、かかる回転体７４の回転は、パチンコ機１０に電源が投入されてから継続して行われるようになっており、その回転速度および回転方向は常に一定とされている。
【００４３】
また、中央凹所７２の底壁には、図７に示されているように、複数（本実施形態では、三つ）の入球口としての排出口９４，９６，９８が形成されている。そして、上述の如く、回転体７４が回転せしめられた場合、これら三つの排出口９４，９６，９８のうち中央凹所７２の底壁において最も径方向外方に位置せしめられた排出口９４の上方を、一組目の各収容凹部７５が通過するようになっている。
【００４４】
従って、遊技球が収容された状態で、一組目の各収容凹部７５が排出口９４の上方を通過した場合、一組目の各収容凹部７５に収容された遊技球は、排出口９４から図示しない排出路を通って、遊技盤１６の裏側に排出されるようになっている。
【００４５】
因みに、本実施形態では、排出口９４から遊技盤１６の裏側に遊技球が排出されると、六つの可変入賞装置４４ａ〜ｆのうちの上段左側に位置せしめられた可変入賞装置４４ａに設けられている一対の可動翼片が傾動せしめられるようになっている。
【００４６】
また、上述の如く、回転体７４が回転せしめられた場合、排出口９４よりも中央凹所７２の底壁において径方向内方に位置せしめられた排出口９６の上方を、二組目の各収容凹部７６の底壁に形成された貫通孔７８が通過するようになっている。
【００４７】
従って、遊技球が収容された状態で、二組目の各収容凹部７６が排出口９６の上方を通過した場合、二組目の各収容凹部７６に収容された遊技球は、排出口９６から図示しない排出路を通って、遊技盤１６の裏側に排出されるようになっている。
【００４８】
因みに、本実施形態では、排出口９６から遊技盤１６の裏側に遊技球が排出されると、六つの可変入賞装置４４ａ〜ｆのうちの上段右側に位置せしめられた可変入賞装置４４ｃに設けられている一対の可動翼片が傾動せしめられるようになっている。
【００４９】
更にまた、上述の如く、回転体７４が回転せしめられた場合、排出口９６よりも中央凹所７２の底壁において径方向内方に位置せしめられた排出口９８の上方を、三組目の各収容凹部７７の底壁に形成された貫通孔８０が通過するようになっている。
【００５０】
従って、遊技球が収容された状態で、三組目の各収容凹部７７が排出口９８の上方を通過した場合、三組目の各収容凹部７７に収容された遊技球は、排出口９８から図示しない排出路を通って遊技盤１６の裏側に排出されるようになっている。
【００５１】
因みに、本実施形態では、排出口９８から遊技盤１６の裏側に遊技球が排出される場合、六つの可変入賞装置４４ａ〜ｆのうち上段真中に位置せしめられた可変入賞装置４４ｂに設けられている一対の可動翼片と、下段真中に位置せしめられた可変入賞装置４４ｅに設けられている一対の可動翼片とが、それぞれ、傾動せしめられるようになっている。
【００５２】
また、上述の如く、回転体７４が中心軸回りに回転可能な状態で収容配置された中央凹所７２の外側には、中央凹所７２の側壁に沿って延びる環状通路１００が設けられている。そして、本実施形態では、第二の案内通路７０によって案内されてきた遊技球が、環状通路１００において中央凹所７２よりも奥側の部分に落下せしめられるようになっている。
【００５３】
そこにおいて、本実施形態では、上述の如く、下側凹室５６の床面が、奥側から手前側（図４中の右側から左側）に向けて下る傾斜面とされていることにより、環状通路１００の底面も下側凹室５６の奥側から手前側に向けて下る傾斜面とされている。
【００５４】
従って、本実施形態では、第二の案内通路７０を通ってきた後、環状通路１００において中央凹所７２よりも奥側の部分に落下せしめられた遊技球は、周方向一方向（図６中の右回りの方向）において環状通路１００を奥側から手前側に向けて転動せしめられるか、或いは、周方向他方向（図６中の左回りの方向）において環状通路１００を奥側から手前側に向けて転動せしめられるようになっている。
【００５５】
すなわち、本実施形態では、遊技球を奥側から手前側に誘導する通路として、環状通路１００の左半周部分によって構成されて、中央凹所７２の外側を右回りで奥側から手前側に向けて略半周に亘って延びる第一の誘導通路１０２と、環状通路１００の右半周部分によって構成されて、中央凹所７２の外側を左回りで奥側から手前側に向けて略半周に亘って延びる第二の誘導通路１０４とが設けられていることとなる。
【００５６】
なお、中央凹所７２の側壁、即ち、環状通路１００の内側壁には、第一の誘導通路１０２と第二の誘導通路１０４の上流端となる位置において、中央凹所７２の径方向外方に向けて突出する爪状突起１０６が設けられている。これにより、環状通路１００の奥側部分、即ち、第一および第二の誘導通路１０２，１０４の上流端に落下せしめられた遊技球が、かかる爪状突起１０６に当たることによって、第一および第二の誘導通路１０２，１０４の何れかに振り分けられるようになっている。
【００５７】
また、環状通路１００の底面には、第一の誘導通路１０２と第二の誘導通路１０４の下流端となる位置において、中央凹所７２の側に向けて下る誘導面１０８が形成されている。更にまた、中央凹所７２の側壁には、誘導面１０８が形成された位置に対応するようにして、切欠１１０が形成されている。
【００５８】
これにより、第一および第二の誘導通路１０２，１０４の何れかを通って奥側から手前側（上流側から下流側）に誘導されてきた遊技球は、誘導面１０８によって、中央凹所７２に向けて案内されるようになっている。
【００５９】
このようにして、中央凹所７２に向けて案内されてきた遊技球は、切欠１１０を通って、中央凹所７２内で回転せしめられている回転体７４に形成された六つの収容凹部７５，７５，７６，７６，７７，７７の何れかに収容されるようになっている。そして、回転体７４に形成された六つの収容凹部７５，７５，７６，７６，７７，７７の何れかに収容された遊技球は、三つの排出口９４，９６，９８の何れかから遊技盤１６の裏側に排出されるようになっている。
【００６０】
このことから明らかなように、本実施形態では、電気モータ９０によって回転せしめられる回転体７４を含んで振分手段が構成されている。
【００６１】
また、第一および第二の誘導通路１０２，１０４の下流側には、各誘導通路１０２，１０４を転動せしめられる遊技球が接触可能な位置において、複数（本実施形態では、四つ）の突起１１２が設けられている。そこにおいて、本実施形態では、各誘導通路１０２，１０４の側壁面１１４，１１６，１１８，１２０から各誘導通路１０２，１０４の通路方向で交互に突出するようにして、各突起１１２が設けられている。
【００６２】
具体的には、本実施形態の突起１１２は、略一定の半円形断面で各誘導通路１０２．１０４の深さ方向にストレートに延びる形状とされている。そして、本実施形態では、このような形状とされた突起１１２が各誘導通路１０２，１０４の内周側の側壁面１１４，１１８と外周側の側壁面１１６，１２０に対して、周方向（通路方向）に適当な間隔をあけて二つずつ設けられている。
【００６３】
そこにおいて、本実施形態では、各誘導通路１０２，１０４において最も上流側に設けられた突起１１２，１１２は、各誘導通路１０２，１０４の外周側の側壁面１１６，１２０であって、且つ、各誘導通路１０２，１０４の中間地点よりも下流側に位置せしめられている。
【００６４】
更にまた、本実施形態では、各誘導通路１０２，１０４に設けられた突起１１２は、下側凹室５６の奥行方向に広がる平面に対して左右対称となるように設けられている。
【００６５】
なお、図６および図７では、各誘導通路１０２，１０４の外周側の側壁面１１６，１２０は、遊技球の流下方向中間部分において分断されているように見えるが、かかる分断されて見える部分には、図面上では明示されていないが、その外側において役物本体５０の壁面が位置せしめられている。これにより、各誘導通路１０２，１０４の上流側から下流側へと遊技球を誘導することが有利に実現され得ることとなる。
【００６６】
このような構造とされたパチンコ機１０においては、役物４６に入賞した遊技球が、回転体７４の周りで周方向に設けられた第一および第二の誘導通路１０２，１０４の何れかを通る際、その誘導通路１０２，１０４において遊技球の流下方向の下流側に設けられた突起１１２に接触せしめられるようになっており、それによって、誘導通路１０２，１０４における遊技球の流下方向下流側で遊技球の転動速度を遅くすることが可能となる。
【００６７】
従って、本実施形態のパチンコ機１０においては、誘導通路１０２，１０４における遊技球の流下方向下流側において遊技球の動きに変化をもたせることが可能となり、それによって、遊技球の動き、特に、回転体７４に形成された六つの収容凹部７５，７５，７６，７６，７７，７７の何れかに収容される直前の遊技球の動きを見る楽しみを遊技者に与えて、遊技者を楽しませることが可能となる。
【００６８】
また、遊技球の転動速度を誘導通路１０２，１０４における遊技球の流下方向下流側において遅くすることが可能となっていることから、遊技球の転動を見せる時間、特に、回転体７４に形成された六つの収容凹部７５，７５，７６，７６，７７，７７の何れかに収容される直前の遊技球の転動を見せる時間を有利に確保することが可能となる。これにより、より長い時間遊技球の転動をみせて遊技者を楽しませることが可能となる。
【００６９】
さらに、誘導通路１０２，１０４における遊技球の流下方向で中間地点よりも下流側にのみ突起１１２が設けられていることから、誘導通路１０２，１０４における遊技球の流下方向の上流端から中間地点までは遊技球の転動速度を速くして、遊技球を可及的速やかに誘導通路１０２，１０４の中間地点まで誘導しつつ、誘導通路１０２，１０４の中間地点から下流端において遊技球の転動速度を遅くして、遊技球の転動をじっくりと遊技者に見せることが可能となる。
【００７０】
更にまた、誘導通路１０２，１０４における遊技球の流下方向の上流端から中間地点までにおいて突起が設けられていないことにより、かかる領域において遊技球の転動速度が有利に確保され得るようになっていることから、遊技球が突起１１２に接触することによって転動速度が弱められたとしても、遊技球の誘導通路１０２，１０４での停留を有利に回避することが可能となり、それによって、誘導通路１０２，１０４での球詰まりを有利に回避することが可能となる。
【００７１】
また、本実施形態では、誘導通路１０２，１０４の外周側の壁面１１６，１２０に突起１１２が設けられていることから、突起１１２に接触した遊技球を蛇行するようにして遊技球の流下方向の下流端まで誘導することが可能となる。これにより、遊技球を誘導通路１０２，１０４の外周側の側壁面１１６，１２０に沿って誘導する場合に比して、遊技球の転動時間を長くすることが可能となり、その結果、遊技者に対して遊技球の動きを見る楽しみを一層与えることが可能となる。
【００７２】
さらに、本実施形態では、各誘導通路１０２，１０４が中央凹所７２の周囲を半周に亘って延びるように形成されていると共に、複数の突起１１２のうち遊技球の流下方向で最も上流側に設けられた突起１１２が誘導通路１０２，１０４の外周側の側壁面１１６，１２０から突出していることから、各誘導通路１０２，１０４を上流端から中間地点まで誘導されてきた遊技球が遠心力で誘導通路１０２，１０４の外周側の側壁面１１６，１２０に沿って流れていた場合、誘導通路１０２，１０４の内周側の側壁面１１４，１１８の側に遊技球の転動方向を変化せしめることが可能となり、それによって、遊技球の転動時間を長くすることが可能となる。
【００７３】
特に、本実施形態では、複数の突起１１２のうち遊技球の流下方向で最も上流側に設けられた突起１１２が誘導通路１０２，１０４の中間地点付近に位置せしめられていることから、中間地点を過ぎて直ぐに遊技球の転動方向を変化させることが可能となり、それによって、遊技球の転動時間を一層長くすることが可能となる。
【００７４】
以上、本発明の一実施形態について詳述してきたが、これはあくまでも例示であって、本発明は、かかる実施形態における具体的な記載によって、何等、限定的に解釈されるものではない。
【００７５】
例えば、前記実施形態では、誘導通路１０２，１０４が中央凹所７２の外側を半周に亘って延びるように設けられていたが、誘導通路の通路長さは中央凹所７２の半周以上の長さであっても良い。
【００７６】
また、前記実施形態では、誘導通路１０２，１０４の両側壁面１１４，１１６，１１８，１２０のそれぞれに二つずつ突起１１２が設けられていたが、誘導通路１０２，１０４の各側壁面１１４，１１６，１１８，１２０に設けられる突起１１２の数や間隔，形成位置等は、前記実施形態のものに限定されることはない。例えば、各誘導通路１０２，１０４の外側の側壁面１１６，１２０のみに突起１１２を設けるようにしても良い。
【００７７】
更にまた、前記実施形態では、突起１１２が略一定の半円形断面で誘導通路１０２，１０４の深さ方向にストレートに延びる形状とされていたが、突起１１２の形状は前記実施形態のものに限定されることはない。
【００７８】
また、前記実施形態では、突起１１２が誘導通路１０２，１０４の側壁面１１４，１１６，１１８，１２０から突出するように形成されていたが、底面から突出する突起を設けるようにしても良い。この場合、突起に接触することによって遊技球が飛び跳ねることとなり、遊技球の転動のバリエーションを増やすことが可能となる。或いは、誘導通路をトンネル状とし、その天井部分に突起を設けるようにしても良い。
【００７９】
更にまた、前記実施形態のように、複数の誘導通路１０２，１０４を設ける場合、各誘導通路１０２，１０４毎に突起の数や形成位置，間隔等を変更するようにしても良い。
【００８０】
その他、一々列挙はしないが、本発明は、当業者の知識に基づいて種々なる変更，修正，改良等を加えた態様において実施され得るものであり、また、そのような実施態様が、本発明の趣旨を逸脱しない限り、何れも、本発明の範囲内に含まれるものであることは、言うまでもない。
【図面の簡単な説明】
【００８１】
【図１】本発明の一実施形態としてのパチンコ機を示す正面図である。
【図２】図１に示されたパチンコ機に採用されている遊技盤を示す正面図である。
【図３】図２に示された遊技盤に取り付けられている役物の正面図である。
【図４】図３におけるＩＶ−ＩＶ断面図である。
【図５】図３に示された役物の斜視図であって、仕切板が取り外された状態を示す図面である。
【図６】図３に示された役物の内部構造を説明するための平面図である。
【図７】図３に示された役物の内部構造を説明するための図面であって、図６において回転体が取り外された状態を示す平面図である。
【符号の説明】
【００８２】
１０  パチンコ機
３４  遊技領域
４６  役物
７４  回転体
９４  排出口
９６  排出口
９８  排出口
１０２  第一の誘導通路
１０４  第二の誘導通路
１１２  突起
【図１】
2006230883.tif 000003
【図２】
2006230883.tif 000004
【図３】
2006230883.tif 000005
【図４】
2006230883.tif 000006
【図５】
2006230883.tif 000007
【図６】
2006230883.tif 000008
【図７】
2006230883.tif 000009